(57)【要約】【課題】  折り畳み型移動通信装置のヒンジ構造において、スナップフィットの変形、損傷等によってヒンジ部品が外側に抜けるのを防止する。【解決手段】  第１のユニット内でヒンジ部品４を支持する内部骨格部品９と外面意匠筐体５とを別部品とし、外面意匠筐体５が内部骨格部品９及び内部骨格部品９に支持されたヒンジ部品４を覆い、また、外面意匠筐体５とヒンジ部品４とを接触状態又は略接触状態にして、ヒンジ部品４の挿入方向の逆方向（外側）にヒンジ部品４が抜けるのを防止する。【選択図】        図１
2005090641.tif 000002
【特許請求の範囲】
【請求項１】
第１のユニットと第２のユニットとを有し、前記第１のユニットと前記第２のユニットとがヒンジ部品によって結合されたヒンジ構造であって、
前記第１のユニット及び前記第２のユニットの少なくともいずれかが、少なくとも、前記ヒンジ部品を支持する内部部品と、前記内部部品及び前記内部部品に支持されたヒンジ部品を覆う外部部品とにより形成されていることを特徴とするヒンジ構造。
【請求項２】
前記ヒンジ構造は、
前記内部部品へ前記ヒンジ部品を挿入する方向と逆の方向に前記ヒンジ部品が抜けることを防止できる位置に前記外部部品が配置されていることを特徴とする請求項１に記載のヒンジ構造。
【請求項３】
前記ヒンジ構造は、
前記内部部品に支持されたヒンジ部品と前記外部部品とが接触状態又は略接触状態となる位置に前記外部部品が配置されていることを特徴とする請求項１に記載のヒンジ構造。
【請求項４】
前記ヒンジ構造は、
前記内部部品へ前記ヒンジ部品を挿入する方向と逆の方向に前記ヒンジ部品が抜けることを防止するためのスナップフィット構造を前記ヒンジ部品が備えていないことを特徴とする請求項１に記載のヒンジ構造。
【請求項５】
前記ヒンジ構造は、
前記内部部品に支持されたヒンジ部品と前記外部部品との間に補間部品が配置され、前記内部部品に支持されたヒンジ部品と前記補間部品とが接触状態又は略接触状態となることを特徴とする請求項１に記載のヒンジ構造。
【請求項６】
前記ヒンジ構造は、
前記内部部品が樹脂部品であることを特徴とする請求項１に記載のヒンジ構造。
【請求項７】
前記ヒンジ構造は、
前記内部部品において、前記ヒンジ部品が挿入されている部位以外の所定箇所に前記内部部品がヒンジ軸方向に弾性的に変形できる柔構造を設けたことを特徴とする請求項１に記載のヒンジ構造。
【請求項８】
それぞれの位置関係が定められた３つ以上のユニットを有し、それぞれのユニットが隣り合う他のユニットとヒンジ部品によって結合されたヒンジ構造であって、
少なくともいずれかのユニットが、少なくとも、前記ヒンジ部品を支持する内部部品と、前記内部部品及び前記内部部品に支持されたヒンジ部品を覆う外部部品とにより形成されていることを特徴とするヒンジ構造。
【請求項９】
請求項１〜８のいずれかに記載のヒンジ構造を備えたことを特徴とする通信装置。
【発明の詳細な説明】
【技術分野】
【０００１】
この発明は、例えば折り畳み型移動通信装置の開閉構造に係り、特に折り畳み型移動通信装置のヒンジ部の構造に関するもので、開閉構造の信頼性に寄与する物である。
【背景技術】
【０００２】
図９は特開２００３−０７４５３６号公報で示された従来の折り畳み型移動通信装置のヒンジ部構造、及び全体を示す分解図である。また、図１０は同じく特開２００３−０７４５３６に示された図９の状態から各部の組み付けを完了した状態を示す側面図及び平面図である。図９、図１０において、１は操作キーを備えた第１のユニット、２は表示装置等を備えた第２のユニット、３は第２のユニット２に搭載された表示装置、４は第１のユニット１と第２のユニット２を回転自在に結合するヒンジ部品であり、組み立て時は第１のユニット１の外側から挿入される。
【０００３】
図１１は同じく特開２００３−０７４５３６号公報で示された従来の従来の折り畳み型移動通信装置のヒンジ部構造を示す斜視図である。同図において５は第１のユニット１の操作キ−側面の外面意匠筐体、５ａは外面意匠筐体５に設けられたヒンジ部品挿入穴、６は第２のユニット２の表側装置側面の外面意匠筐体、６ａは外面意匠筐体６に設けられたヒンジ部品挿入穴である。
図１１に示すように、ヒンジ部品４は第１のユニットの外面意匠筐体５に支持され、第２のユニット２に結合されている。
【０００４】
図１２は従来の折り畳み型移動通信装置のヒンジ部構造を模式化した断面図である。ヒンジ部構造は通常左右１対となっているが、同図はその片側のみを示した。同図において７は第１のユニット１の底面側外面意匠筐体であり、図示していない個所で外面意匠筐体５とネジあるいは弾性的勘合により結合されている。１ａはヒンジ部品のスナップフィット、８はヒンジ部品４に取り付けられたヒンジキャップである。
【０００５】
ヒンジキャップ８は第１のユニットの外面意匠筐体５の外面意匠の一部を果たす。
挿入されたヒンジ部品４はスナップフィット１ａが第２のユニット２に勘合することによりその軸方向に固定される。
【特許文献１】特開２００３−０７４５３６号公報
【発明の開示】
【発明が解決しようとする課題】
【０００６】
従来のヒンジ部構造を有する折り畳み型移動通信装置は上記のように構成されており、第１のユニット１と第２のユニット２の間に相対的な運動が生じた場合はスナップフィット１ａに力が加わる。ヒンジ部品４は折り畳み型移動通信装置全体からみれば小さな部品であり、その部分構造であるスナップフィット１ａはさらに小さな形状のものであるため、落下等の著しい外力においてスナップフィット１ａが変形、損傷する場合がある。
【０００７】
スナップフィット１ａが変形、損傷した場合、従来のヒンジ部構造を有する折り畳み型移動通信装置ではヒンジ部品４の軸方向の位置を維持する構造が他になく、ヒンジ部品４が第１のユニット１の外側に抜ける恐れがあった。
【課題を解決するための手段】
【０００８】
本発明に係るヒンジ構造は、
第１のユニットと第２のユニットとを有し、前記第１のユニットと前記第２のユニットとがヒンジ部品によって結合されたヒンジ構造であって、
前記第１のユニット及び前記第２のユニットの少なくともいずれかが、少なくとも、前記ヒンジ部品を支持する内部部品と、前記内部部品及び前記内部部品に支持されたヒンジ部品を覆う外部部品とにより形成されていることを特徴とする。
【発明の効果】
【０００９】
本発明は、第１のユニット及び前記第２のユニットの少なくともいずれかを、少なくとも、前記ヒンジ部品を支持する内部部品と、前記内部部品及び前記内部部品に支持されたヒンジ部品を覆う外部部品とにより形成することにより、ヒンジ部品が抜けてしまうことを防止することができる。
【発明を実施するための最良の形態】
【００１０】
実施の形態１．
以下、本発明の実施の形態を図面に基づいて説明する。図１は、実施の形態１における折り畳み型移動通信装置のヒンジ部断面構造を示す部分断面図である。
【００１１】
同図において９は第１のユニット内でヒンジ部品４を支持する内部骨格部品であり、図示していない個所で外面意匠筐体５あるいは外面意匠筐体７にネジあるいは弾性的勘合により固定されている。
【００１２】
ヒンジ部品４と外面意匠筐体５の内側面との隙間Ｌは０．５ｍｍ以下に構成されている。
【００１３】
図１に示すように、本実施の形態に係るヒンジ構造では、第１のユニットが、ヒンジ部品４を支持する内部骨格部品９（内部部品）と、内部骨格部品９及び内部骨格部品９に支持されたヒンジ部品４を覆う外面意匠筐体５（外部部品）と、外面意匠筐体７とにより形成されている。また、外面意匠筐体５（外部部品）は、内部骨格部品９（内部部品）へヒンジ部品４を挿入する方向と逆の方向にヒンジ部品４が抜けることを防止できる位置に配置されており、内部骨格部品９（内部部品）に支持されたヒンジ部品４と外面意匠筐体５（外部部品）とが接触状態又は略接触状態となる位置に外面意匠筐体５（外部部品）が配置されている。図１では、ヒンジ部品４と外面意匠筐体５とが０．５ｍｍ以下の隙間Ｌを隔てた略接触状態となっているが、両者が接触していてもよい。
【００１４】
このように、本実施の形態によれば、第１のユニット内でヒンジ部品４を支持する部品と外面意匠筐体を別部品とし、外面意匠筐体をヒンジ部品４の抜け防止に利用したため、スナップフィット１ａが変形、損傷した場合でもヒンジ部品４の位置が変わることはなく、ヒンジ部品が抜けてしまう事態を回避することができる。更に、ヒンジ部側面の外側意匠にヒンジキャップによるデザインの制約も生じない。また、ヒンジ部品４を支持する部品は外面意匠にならないので塗装性などの制約を受けることなくより高強度な材料を使用できる。
【００１５】
実施の形態２．
図２は本発明における折り畳み型移動通信装置のヒンジ部断面構造の第２の実施の形態を示す。
【００１６】
本実施の形態においてはヒンジ部品４の位置は外面意匠筐体５の内側面と第２のユニット２の外面意匠筐体６によって決定、保持できるためスナップフィット１ａは必要とせず、なくすことができる。
【００１７】
すなわち、図２に示すように、本実施の形態に係るヒンジ構造では、ヒンジ部品４を挿入するための挿入穴を第２のユニットを貫通させることなく、第２のユニットの途中までとしているため、ヒンジ部品４は、内部骨格部品９（内部部品）へヒンジ部品４を挿入する方向と逆の方向にヒンジ部品４が抜けることを防止するためのスナップフィット構造を必要としない。
【００１８】
実施の形態３．
図３は本発明における折り畳み型移動通信装置のヒンジ部断面構造の第３の実施の形態を示す。
【００１９】
同図において５ｂは外面意匠筐体５の内側面に作られたリブ（補間部品）である。
【００２０】
実施の形態１では外面意匠筐体５の内側面でヒンジ部品４を押さえる構造としたが、通信装置の外形寸法や意匠の設計の関係で外面意匠筐体５の肉厚が大きくなってしまう場合がある。外面意匠筐体５は通常成形部品であり、肉厚が大きくなると「ひけ」の問題や重量の問題が生じる。このため本実施の形態ではヒンジ部品４のある位置に外面意匠筐体５の内側にリブを作り、同リブがヒンジ部品４を押さえる構造とした。もちろんリブではなく円筒や球面の形状等の突起であっても良い。
【００２１】
このように、本実施の形態に係るヒンジ構造では、内部骨格部品９（内部部品）に支持されたヒンジ部品４と外面意匠筐体５（外部部品）との間にリブ５ｂ（補間部品）が配置され、内部骨格部品９（内部部品）に支持されたヒンジ部品４とリブ５ｂ（補間部品）とが接触状態又は略接触状態となっている。図３では、ヒンジ部品４とリブ５ｂとが０．５ｍｍ以下の隙間Ｌを隔てた略接触状態となっているが、両者が接触していてもよい。
【００２２】
実施の形態４．
図４は本発明における折り畳み型移動通信装置のヒンジ部断面構造の第４の実施の形態を示す。
【００２３】
同図において１０はスペーサ部品（補間部品）である。
【００２４】
実施の形態３では外面意匠筐体５に設けたリブ５ｂでヒンジ部品４を押さえる構造としたが、図４に示すように別部品のスペーサであってもよく、ヒンジ部品４が配置上内部骨格部品９の奥まった位置にある場合に有効になる。
【００２５】
このように、本実施の形態に係るヒンジ構造では、内部骨格部品９（内部部品）に支持されたヒンジ部品４と外面意匠筐体５（外部部品）との間にスペーサ部品１０（補間部品）が配置され、内部骨格部品９（内部部品）に支持されたヒンジ部品４とスペーサ部品１０（補間部品）とが接触状態又は略接触状態となっている。図４では、ヒンジ部品４とスペーサ部品１０とが０．５ｍｍ以下の隙間Ｌを隔てた略接触状態となっているが、両者が接触していてもよい。
【００２６】
また、内部骨格部品９はヒンジ部品４の支持部をはじめとして複雑な形状になる場合が多く、また、移動通信装置では金属部品が電波の送受信性能に悪影響を及ぼすことがあるため本実施の形態では１０ＧＰａ以上の高弾性率、２５０ＭＰａ以上の高強度を有する樹脂部品を用いている。
【００２７】
実施の形態５．
内部骨格部品９は内蔵部品であるために従来の折り畳み型移動通信装置のヒンジ支持をになっていた外面意匠筐体に比して厚さ方向の寸法が小さくなる。携帯電話のような小型移動通信装置では近年薄形化が進んでおり、ますます厚さ方向の寸法は確保しにくい。本発明における内部骨格部品９は発明の構造上ヒンジ部において上に向いたコの字形をしており、図４に示したＡ部に応力が集中しやすい。本実施の形態ではそれを解決する手段として図５に示したようにＡ部にスリットＢを設けるとともになだらかな曲面形状を設けて外力が加わった場合に同部位が弾性的に変形して力を吸収する構造とした。
【００２８】
このように、本実施の形態に係るヒンジ構造では、内部骨格部品９（内部部品）において、ヒンジ部品が挿入されている部位（ヒンジ部品の挿入穴）以外の所定箇所に内部骨格部品９（内部部品）がヒンジ軸方向に弾性的に変形できる柔構造を設けており、これにより、外力が加わった場合にも、この柔構造が弾性的に変形して応力を吸収することができる。
【００２９】
実施の形態６．
実施の形態５までにおいては折り畳み型移動通信装置の組み立て時にヒンジ部品４を第１のユニット１の外側から挿入する形態の構造について記載したが、第２のユニット２側から挿入する場合の構造を図６に示す。同図において１１は第２のユニット２の内部骨格部品である。
【００３０】
図６に示すように、本実施の形態に係るヒンジ構造では、第２のユニットが、ヒンジ部品４を支持する内部骨格部品１１（内部部品）と、内部骨格部品１１及び内部骨格部品１１に支持されたヒンジ部品４を覆う外面意匠筐体６（外部部品）とにより形成されている。また、外面意匠筐体６（外部部品）は、内部骨格部品１１（内部部品）へヒンジ部品４を挿入する方向と逆の方向にヒンジ部品４が抜けることを防止できる位置に配置されており、内部骨格部品１１（内部部品）に支持されたヒンジ部品４と外面意匠筐体６（外部部品）とが接触状態又は略接触状態となる位置に外面意匠筐体６（外部部品）が配置されている。図６では、ヒンジ部品４と外面意匠筐体６とが０．５ｍｍ以下の隙間Ｌを隔てた略接触状態となっているが、両者が接触していてもよい。
【００３１】
実施の形態７．
実施の形態６までにおいては折り畳み型移動通信装置において第１のユニット１と第２のユニット２が直接ヒンジ部品４により結合されている例を示したが、第３のユニット、あるいはさらに複数のユニットを会して結合されていても良い。
【００３２】
図７は従来の折り畳み型移動通信装置の開閉動作を説明する側面図であるが、第１のユニット１と第２のユニット２が１つの回転軸で結合されている場合は同図に示したように通常１８０°の角度程度までしか開くことができない。
【００３３】
図８は３つ以上のユニットを有する折り畳み型移動通信装置の開閉動作を説明する側面図であり、同図において１２は第１のユニット１及び第２のユニット２に回転自在に結合された第３のユニットである。
【００３４】
図８に示したように第３のユニット１２を介して平行な２つの軸に沿って回転自在に結合すれば第１のユニット１を第２のユニット２に対して３６０°まで開くことが可能となる。携帯電話のような折り畳み型移動通信装置では第２のユニット２に表示装置３が通常配置されているが、同図（ｃ）のように３６０°まで開けば近年携帯電話に搭載されている図示していないカメラ機能により撮影を行う際に同表示装置をビュ−イング機能として活用することが容易になる。図８に示したように第３のユニット１２もしくはさらに複数のユニット、複数の回転軸が折り畳み型移動通信装置に存在する場合においても本発明の適用は可能であり、同様の効果を得ることができる。図１３は、例として、３つのユニットを有する折り畳み型移動通信装置に実施の形態１で示したヒンジ構造を適用した場合の構造を示す。第１のユニット１と第２のユニット２は、実施の形態１に示したヒンジ構造により第３のユニットに結合されており、それぞれのヒンジ部品が外側に抜けることを防止している。なお、図１３では、例として実施の形態１に係るヒンジ構造を適用した構造を示したが、他にも実施の形態２に係るヒンジ構造等も適用可能である。もちろん、ヒンジ部品４の抜けを防止する機能を持つ意匠筐体は複数のユニットの中のどのユニットの意匠筐体を用いても良い。
【００３５】
このように、本実施の形態に係るヒンジ構造では、それぞれの位置関係が定められた３つ以上のユニットを有し、それぞれのユニットが隣り合う他のユニットとヒンジ部品によって結合されたヒンジ構造であって、少なくともいずれかのユニットが、ヒンジ部品を支持する内部骨格部品（内部部品）と、内部骨格部品及び内部骨格部品に支持されたヒンジ部品を覆う外部部品とにより形成されている。
【００３６】
ここで、実施の形態１〜７で示したヒンジ構造の特徴を再言する。
【００３７】
実施の形態１に示したヒンジ構造は、第１のユニットと第２のユニットを有し、ヒンジ部品を用いて結合することにより概第１のユニットと第２のユニットは二つ折り状態（閉状態）と二つ折り以外の角度で保持した状態（開状態）との間で変化させることが可能であり、第１のユニットは概ヒンジ部品を支持する内部骨格部品と概内部骨格部品を覆う外面意匠筐体から成り、内部骨格部品にヒンジ部品を挿入する方向とは逆の方向にヒンジ部品が抜けることを外面意匠筐体が防止する構造としたことを特徴とする。
【００３８】
実施の形態２に示したヒンジ構造は、概ヒンジ部品自体には挿入方向と逆方向へ抜けることを防止するスナップフィット構造が備わっていないことを特徴とする。
【００３９】
実施の形態３に示したヒンジ構造は、外面意匠筐体の内面にリブ等の突起を設けてヒンジ部品に接触ないしは接触状態に近い距離を保たせていることを特徴とする。
【００４０】
実施の形態４に示したヒンジ構造は、ヒンジ部品と外面意匠筐体との間にスペーサ部品を配置し、同スペーサ部品を介してヒンジ部品を外面意匠筐体に接触ないしは接触に近い状態に保たせていることを特徴とする。
【００４１】
実施の形態４に示したヒンジ構造は、ヒンジ部品を支持する内部骨格部品が樹脂部品であることを特徴とする。
【００４２】
実施の形態５に示したヒンジ構造は、ヒンジ部品を支持する内部骨格部品のヒンジ支持部にヒンジ軸方向に弾性的に変形できる柔構造を持たせたことを特徴とする。
【００４３】
実施の形態６に示したヒンジ構造は、第２のユニットに実施の形態１〜５に示した構造が用いられていることを特徴とする。
【００４４】
実施の形態７に示したヒンジ構造は、ヒンジ部品で結合されるユニットが３つ以上ある場合に、いずれかのユニットに実施の形態１〜６に示した構造が用いられていることを特徴とする。
【産業上の利用可能性】
【００４５】
本発明は実施の形態において述べた携帯電話機や、無線ＬＡＮを搭載した折り畳み型移動通信装置で活用できる。
【図面の簡単な説明】
【００４６】
【図１】実施の形態１に係るヒンジ構造を示す部分断面図。
【図２】実施の形態２に係るヒンジ構造を示す部分断面図。
【図３】実施の形態３に係るヒンジ構造を示す部分断面図。
【図４】実施の形態４に係るヒンジ構造を示す部分断面図。
【図５】実施の形態５に係るヒンジ構造を示す部分断面図。
【図６】実施の形態６に係るヒンジ構造を示す部分断面図。
【図７】従来の折り畳み型移動通信装置の開閉動作を説明する側面図。
【図８】３つ以上のユニットを有する折り畳み型移動通信装置の開閉動作を説明する側面図。
【図９】従来の折り畳み型移動通信装置のヒンジ部構造、及び全体を示す分解図。
【図１０】各部の組み付けを完了した状態を示す従来の折り畳み型移動通信装置の側面図及び平面図。
【図１１】従来の従来の折り畳み型移動通信装置のヒンジ部構造を示す斜視図。
【図１２】従来の折り畳み型移動通信装置のヒンジ部構造を模式化した断面図。
【図１３】実施の形態７に係るヒンジ構造を示す部分断面図。
【符号の説明】
【００４７】
１  第１のユニット、１ａ  スナップフィット、２  第２のユニット、３  表示装置、４  ヒンジ部品、５  外面意匠筐体、５ａ  ヒンジ部品挿入穴、５ｂ  リブ、６  外面意匠筐体、６ａ  ヒンジ部品挿入穴、７  底面側外面意匠筐体、８  ヒンジキャップ、９  内部骨格部品、１０  スペーサ部品、１１  内部骨格部品、１２  第３のユニット。
【図１】
2005090641.tif 000003
【図２】
2005090641.tif 000004
【図３】
2005090641.tif 000005
【図４】
2005090641.tif 000006
【図５】
2005090641.tif 000007
【図６】
2005090641.tif 000008
【図７】
2005090641.tif 000009
【図８】
2005090641.tif 000010
【図９】
2005090641.tif 000011
【図１０】
2005090641.tif 000012
【図１１】
2005090641.tif 000013
【図１２】
2005090641.tif 000014
【図１３】
2005090641.tif 000015